(57)【特許請求の範囲】
【請求項１】
成型された噛合エレメント１１，１３，１５が夫々のテープ１７，１９の縁部に設けられている一対のファスナーストリンガーからなる隠しスライドファスナーであって、
噛合エレメント１１，１３，１５のエレメント胴体２９は、テープ１７，１９縁部に跨って設けられており、噛合エレメント１１，１３，１５は、テープ１７，１９の一方の面においてエレメント胴体２９から延びる噛合部分５３と、テープ１７，１９の他の面においてエレメント胴体２９から突出する棚部４７とを備え、対向するファスナーストリンガーの噛合エレメント１１，１３，１５が係合した時に、一方のファスナーストリンガーに設けた噛合エレメント１１，１３，１５の噛合部分５３は、他方のファスナーストリンガーに設けた噛合エレメント１１，１３，１５の棚部４７にテープ１７，１９を介して当接しており、噛合エレメント１１，１３，１５の噛合部分５３と異なるテープ１７，１９側の面において、エレメント胴体２９から突出する２つの突起部３３が形成され、当該突起部３３のテープ１７，１９に対面する側には、棚部４７が形成され、２つの突起部３３の間に凹部３７を形成してなることを特徴とする隠しスライドファスナー。
【請求項２】
噛合エレメント１１，１３，１５は、テープ１７，１９の平面上を二つに分割する金型部分からなる金型のみでもって成型することができることを特徴とする請求項１に記載された隠しスライドファスナー。
【請求項３】
対向する噛合エレメント１１，１３，１５の外端部は、夫々のテープ１７，１９が介在可能な間隔をもって互いから離れていることを特徴とする請求項１又は２に記載された隠しスライドファスナー。
【請求項４】
噛合部分５３は、エレメント胴体２９の前面３１から延びている首部４５と当該首部４５に連なって形成された噛合頭部４３とからなり、首部４５の近傍のエレメント胴体２９には肩部４６が形成されており、噛合部分５３は、肩部４６及び噛合頭部４３と首部４５との間の移行領域５５において対向している噛合部分５３と当接することを特徴とする請求項１乃至３のいずれか一つに記載された隠しスライドファスナー。
【発明の詳細な説明】
【技術分野】
【０００１】  本発明は、隠しスライドファスナーに関するものであり、特に、成型されたエレメントを備えた隠しスライドファスナーに関するものである。
【背景技術】
【０００２】  成型されたエレメントを備えた隠しスライドファスナーの例は、ＵＳ−Ａ−４０７８２７８、ＪＰ−Ａ−２０００−２０１７０８、ＪＰ−Ａ−２５９８３５４及びＵＳ−Ａ−３１２４８７１に開示されている。図１０は、ＵＳ−Ａ−４０７８２７８に開示された噛合エレメントを示している。成型エレメント１０１を備えた隠しスライドファスナーのストリンガーは、テープ（図示せず。）の縁部にファスナーエレメント１０１を射出成型することによって提供される。テープは、先ず、エレメント胴体１０７の前面１０５に形成されたエレメントのスロット１０３から出るように配される。噛合エレメント１０１の噛合部分１０９は、テープの一方側であって、エレメント胴体１０７の前面に形成される。次にテープは、エレメント胴体の上面１１１をカバーするため噛合部分１０９から離れる方向で上側胴体１０７ａの周りを折り曲げられるように配される。一方のストリンガーが相手方のストリンガーと噛合する際に、両方のテープは、噛合エレメント１０１の対向する前面１０５の間において当接し、これによって、上から見た場合に、エレメント１０１を隠す働きをするのである。同様な技術が耐水性ファスナーを提供するために利用することができ、本発明は、このようなファスナーも含むのである。
【特許文献１】米国特許ＵＳ−Ａ４０７８２７８号公報
【特許文献２】特開２０００−２０１７０８号公報
【特許文献３】日本国特許Ａ２５９８３５号公報
【特許文献４】米国特許Ａ３１２４８７１号公報
【発明の開示】
【発明が解決しようとする課題】
【０００３】  この先行技術の構造の欠点は、噛合部分１０９がテープの完全に一方側に形成されているということである。エレメント胴体１０７が破断するのを防止するために、テープの上における領域１０７ａにおいて十分な厚みを持たなければならないので、テープの下にある胴体１０７ｂは、エレメント胴体１０７が全体として過度に厚くなることを避けるために比較的薄く保たれなければならないのである。従って、形成された噛合部分１０９は、胴体の全体の深さの略半分になるのである。第１に、対向する二つのエレメントの噛合部分の頭部１１７は、ファスナーの面内方向における分離を防止するため、互いに係合するのである。【０００４】  第２に、ファスナーがファスナー面外方向即ちファスナーの水平面に交差する方向に曲折するのを限定し、面外方向の運動によって噛合エレメントが分離するのを防止するために、対向するエレメントに設けられた棚部１１５に当接するために、棚部１１３が頭部１１７に形成されている。この棚部１１３は、頭部１１７にテープに面する下側切欠部を形成しているので、テープに噛合エレメント１０１を成型するためにスライディングコアモールドを使用する必要がある。噛合部分１０９は、特に、その棚部１１３の領域において、過度に肉薄である場合、ファスナーが手荒に折り曲げられた場合、又は、通常の使用であっても、破断する虞がある。更に、肉薄の噛合エレメント１１７自体、ファスナーの面外方向における曲折に対して抵抗力が無いのである。しかし、エレメント１０１の全体の厚み又は深さは、美的な理由からも、材料の量を減らしコストを下げるという目的からも、小さく保たれなければならないのである。
【課題を解決するための手段】
【０００５】  本発明の一つの特徴によれば、テープの縁部に成型噛合エレメントが設けられており、噛合エレメントの噛合部分が当該テープの一方の側に、そして、噛合エレメントの棚部がテープの他方の側に配されている隠しスライドファスナーが提供されている。噛合部分は、テープが出るように配されているエレメント胴体のスロットの一方側において前面から延びている。テープの他方の側において、棚部は、前面にある突起部によって形成されている。テープは、突起部の周りに巻き付け、エレメント胴体の上面に配される。対向する二つのストリンガーの噛合部分が係合した時に、一方のストリンガーの噛合エレメントの噛合部分は、他方のストリンガーの対向する噛合エレメントの棚部に夫々のテープを介して当接する。テープの他方の側に棚部を形成することによって、噛合部分は、テープの一方側における胴体の厚さと同じにすることができる。テープに面するアンダーカットは無い方が望ましい。こうすることによって、噛合エレメントは、スライディングコアを使用せずに成型することが出来るのである。即ち、２つの金型部分からなる金型を使用するのみで成型出来るのである。アンダーカットとは、射出成型などによって成型した後、そのままの状態では成型物を金型から取り出せなくなる形状を言います。【０００６】  テープが胴体から出る位置に形成されるスロットの口部は、エレメント胴体の厚さの約半分の高さにあることが好ましい。【０００７】  噛合頭部は、エレメント胴体の前面から延びる首部に連なって形成される。噛合頭部は、他方のストリンガーの二つの対向する噛合エレメントの噛合頭部とテープ表面の背後で係合し、当該対向する噛合エレメントの首部の間に配される。対向するエレメントの噛合頭部のための当接面を提供するために首部の夫々の側に肩部が設けられている。【０００８】  棚部は、テープの縦方向（長手方向）においてエレメント胴体の全幅に亘って延びていても良い。エレメント胴体の面の両端部には、二つの棚部が設けられていることが好ましい。棚部を形成する夫々の突起部は、当該突起部の間に凹部を形成しているのである。当該凹部によって、対向する噛合エレメントの棚部の一部を当該突起部の間に収容してもよいのである。【０００９】  対向する噛合エレメントの棚部は、介在するテープの厚みだけ互いから離れている。所望の外観によっては、大きなスペースが提供されていても良い。特に、耐水性のファスナーについては、テープを圧縮挟持するための距離とした棚部が配されてもよい。【００１０】  当該技術分野において周知であるように、ファスナーが曲折されるので、噛合頭部は、対向する噛合エレメントの隣接する首部及び頭部並びに対向する肩部に当接するのである。頭部の高さを、テープの一方側の胴体部の厚さまで最大限に高くすることによって、噛合エレメントは、ファスナーの曲折に対する抵抗力を増大することが出来るのである。噛合エレメントの頭部と首部の形状は、噛合頭部が対向する噛合エレメントの肩部と当接するとともに、頭部から首まで移行する領域において隣接する頭部の側面とも当接するような形状であることが好ましい。隣接する頭部の側面は、対向するテープの間の中間の領域において互いに当接することが好ましい。面外方向への移動によって生ずる分離を防止するために、噛合頭部は、該当するテープを介して対向する噛合エレメントの棚部に当接するのである。【００１１】  本発明の他の構成及び効果は、以下の発明の詳細な説明の欄及び添付の特許請求の範囲の記載を読めば明らかになる。
【実施例】
【００１２】  以下本発明をここに添付された図面を参考に実施例に基づいて詳細に説明する。本件のスライドファスナーは一対のファスナーテープの縁部に噛合エレメントが射出成型された一対のファスナーストリンガーと、このファスナーストリンガーに噛合エレメントを係合、解除するためのスライダーを有する。図１は、本発明の一つの実施例を構成するスライドファスナーの三つの噛合エレメントを上から見た斜視図である。ここで、構造を明確にするため、夫々のテープは省略されている。また、図１は、射出成型によって（図３に示されている）夫々のテープ１７，１９（図３に示されている。）に直接成型された熱可塑性材料製の噛合エレメントのうち一部分である三つの噛合エレメント１１、１３，１５を示している。テープ１７，１９は、その縁部２５，２７に芯紐２１，２３を設けている。図３において示されているように、噛合エレメント１１，１３，１５のエレメント胴体２９は、夫々のテープ縁部の表裏面に跨って断面Ｕ字状に設けられている。噛合エレメント１１，１３，１５は、エレメント胴体２９の一方の先端部分に噛合頭部５３が形成されており、噛合頭部５３が形成される側が長くなっており、エレメント胴体２９はファスナーテープ１７，１９の平面を境にして噛合部分５３が形成される側と、後述する突起部３３が形成される側とに分けることができ、これらのエレメント胴体２９はテープ１７，１９縁部よりも外側でテープ１７，１９を跨って連結され、略Ｕ字状を呈して縁部を囲むように設けられている。ここで、エレメント胴体２９における、噛合部分５３が形成される側を前面３１とし、隣り合う噛合エレメント１１，１３，１５に向かう方向を幅方向、ファスナーテープ１７，１９の平面に直角の方向を厚さ方向とする。エレメント胴体２９の前面３１の略真ん中にファスナーテープ１７，１９が入り込むように射出成型され、このテープ１７，１９が入り込む部分を図１においては、スロット３０として表している。換言すると、テープ１７，１９は、エレメント胴体２９の前面３１の略真ん中にあるスロット３０から出るように配されている。図３においては、テープ縁部２５，２７は、エレメント胴体２９の中間面に配されているように示されている。噛合エレメント１１，１３，１５を取り付けたファスナーテープの側縁をエレメント胴体２９のスロット３０の前面３１側を軸に折り返し、噛合部分５３が折り返されたファスナーテープより突出するように配されている。しかし、テープ縁部２５，２７は中間面に対して傾斜して配されていても良い。テープ縁部２５，２７は、胴体２９が脆弱になることを避けるために、テープ縁部の周りの胴体２９の材料の厚みが十分になるように配されている。【００１３】  エレメント胴体２９の前面３１側において、噛合部分５３が形成されていない側には、エレメント胴体２９の先端部から突出する突起部３３が夫々の外端部３５側に形成されている。当該突起部３３の間には、凹部３７を形成している。凹部３７の前面側は、図４に表すように、２個の突起部３３の前面側よりもエレメント胴体２９の連結部側に位置するように凹んで形成されている。このため、折り返されたテープ１７，１９は、突起部３３の前端に��するが、凹部３７の前端とは接しない。突起部３３は、テープ１７，１９まで厚さ方向下方に延びており、テープに面する棚部４７を形成している。図３に示されているように、テープ１７，１９は、突起部３３の周りで噛合部分５３と反対方向に折り畳まれ、夫々の噛合エレメント１１，１３，１５の上面４１をカバーするように配されている。【００１４】  噛合部分５３は、エレメント胴体２９の前面３１から外方に延びており、首部４５に連なって配された噛合頭部Ａ３によって形成されている。エレメント胴体２９の前面３１において、首部４５の幅方向の両側には、肩部４６が形成されている。図２から良くわかるように、ファスナーが噛合された際に、噛合エレメント１５（図１に表す真ん中の噛合エレメント）の噛合頭部４３は、対向するエレメント１１，１３の頭部４３の背後（首部４５側）で係合する。これは、当該技術分野で周知であるように、ファスナーの水平面内方向に噛合エレメント１１，１３が分離するのを防止するためである。更に、エレメントが面外方向（テープ１７，１９の平面（水平面）方向に交差する方向）において互いに対して移動又は捻転するのを制限するために、それらの噛合エレメント１１，１３，１５を移動又は捻転しようとすると、頭部４３は隣接するエレメント１１，１３の首部４５、頭部４３及び肩部４６に押圧接触することで制限される。又、頭部４３は、隣接する噛合エレメントが面外方向に相対的に移動するのを制限するために、突起部３３の下側によって形成されている棚部４７（図５）に当接するのである。容易に理解できるように、夫々のテープ（この場合には、テープ１９）は、エレメント１５の頭部４３とエレメント１１，１３の棚部４７との間に介在することになる。【００１５】  次に、噛合頭部４３の上面４９即ち突起部３３側の面は、テープ１７，１９が噛合エレメントの胴体２９を出るテープ１７，１９の下面近傍にあること及び棚部４７はテープ１７，１９の上面の近傍にあり、スロット３０の上壁及び下壁と概ね一直線上になっていることががわかる。突起部３３は棚部４７を形成するために形成されており、棚部４７は図５に表すように、エレメント胴体２９の前面３１側に形成した肩部４６よりも噛合頭部４３側にまで延びており、噛合エレメント１１，１３，１５の首部４５の幅方向両側に形成される。棚部４７は噛合頭部４３の上面４９と、テープ１７，１９を介在して当接可能であり、その当接が確実となる大きさで棚部４７が形成される。すなわち突起部３３とは、他方の噛合頭部４３と当接可能となるように突出するものである。尚、噛合エレメント１１，１３，１５は射出成型によって設けられることから、棚部４７はテープ１７，１９上に成型されることで形成される。通常、棚部４７がテープ１７，１９からはがれることはないが、度重なる使用によって、もし剥がれたとしても、テープ１７，１９を介して対向する噛合エレメント１１，１３，１５の噛合頭部４３との当接はできるのである。【００１６】  次に、図３について説明する。テープ１７，１９は、互いに対向するエレメント１１，１３，１５の突起部３３の間に挟持される。テープ１７，１９が圧縮される度合いは、突起部３３（棚部４７）の間の距��によって決まる。図３に表すように、対向する突起部３３間隔が、介在するテープ１７，１９の厚さより大きくされており、テープ１７，１９は圧縮されていないが、耐水性スライドファスナーについては、テープがある程度圧縮されていることが望ましいのである。生地について言えば、生地に皺ができるのを回避するためには、比較的に圧縮が小さい方が望ましい。次に、図６について説明する。図６に示されているように、テープ１７，１９に面するアンダーカットが無いので、噛合エレメント１１，１３，１５は、略Ｘ−Ｘ線に沿うテープ１７，１９の水平面上を２つに分離する金型の中に保持される夫々のテープ上に射出成型によって取り付けられることがわかる。当該技術分野において周知であるように、テープ１７，１９には、一度に多数の噛合エレメントが成型される。又、テープの縁部には、プレス加工又は加締め加工によって金属エレメントを取り付けることもできる。【００１７】  図７は、本発明のスライドファスナーの平面図である。このスライドファスナーは、図１の噛合エレメントと類似の噛合エレメント１１’を設けている。一方のテープが省略されている。そして、突起部３３’は、テープをその間に介在させながら対向するエレメントの隣接する頭部４３と当接するために首部４５の夫々の側に配されている事がわかる。ファスナーが捻転された場合に、突起部３３′は対向する突起部３３′と協働することによってファスナーが面外方向に曲折するのを限定する働きをする。突起部の位置と幅は、どのような効果を期待するかによって決まる。特に、ファスナーの上面においてテープの材料に皺がよるのを回避することがどれだけ重要かによって決まるのである。【００１８】  図８は、スライダー５１の一部とともに示したスライドファスナーの断面図である。スライダー５１は、当該技術分野において周知のように、噛合エレメントを抱持するように配され、かつ引手を備え、ファスナーを開閉するために当該ファスナーに沿って滑動するのである。【００１９】  図９は、噛合エレメント１１，１３，１５の間における接触状態を示している。噛合エレメント１５の噛合頭部４３は、対向する一対の噛合エレメント１１，１３の肩部４６と当接している。これに加えて、噛合部分５３は、噛合頭部４３から首部４５へと移行する移行領域５５において幅方向において隣接する噛合部分５３と接触する。頭部４３が肩部４６と当接する位置とファスナーの中心線Ａ−Ａを横切る移行領域との間の領域にはギャップ５７がある。移行領域５５と肩部４６における接触は、ファスナーの安定性を非常に高めるのである。しかし、隣接する噛合エレメントがその対面する面に沿って完全に接触してしまうと、ファスナーの操作が困難になる。
【図面の簡単な説明】
【００２０】
【図１】  図１は、本発明の一つの実施例を構成するスライドファスナーの三つの噛合エレメントを上から見た斜視図である。ここで、構造を明確にするため、夫々のテープは省略されている。
【図２】  図２は、図１の噛合エレメントを下から見た斜視図である。
【図３】  図３は、図１のＩＩＩ−ＩＩＩ線に沿った断面図である。ここで、スライドファスナーのテープも示している。
【図４】  図４は、図１の噛合エレメントの平面図である。
【図５】  図５は、図４の噛合エレメントの底面図である。
【図６】  図６は、図４の噛合エレメントの側面図である。
【図７】  図７は、本発明のスライドファスナーの変形例を示す平面図であり、一方のテープが省略されている。
【図８】  図８は、スライドファスナーの断面図であり、スライダーの一部を示している。
【図９】  図９は、図１の噛合エレメントの底面図であり、当該エレメントの接触面を示している。
【図１０】  図１０は、先行技術の噛合エレメントを示す斜視図である。
【符号の説明】
【００２１】１１    噛合エレメント
１３    噛合エレメント
１５    噛合エレメント
１７    テープ
１９    テープ
２１    芯紐
２３    芯紐
２５    テープ縁部
２７    テープ縁部
２９    エレメント胴体
３０    スロット
３１    前面
３３    突起部
３７    凹部
４１    上面
４３    噛合頭部
４５    首部
４６    肩部
４７    棚部
４９    上面
５１    スライダー
５３    噛合部分
５５    移行領域
５７    ギャップ
【図１】
0004822187.tif 000002
【図２】
0004822187.tif 000003
【図３】
0004822187.tif 000004
【図４】
0004822187.tif 000005
【図５】
0004822187.tif 000006
【図６】
0004822187.tif 000007
【図７】
0004822187.tif 000008
【図８】
0004822187.tif 000009
【図９】
0004822187.tif 000010
【図１０】
0004822187.tif 000011